(57)【要約】【課題】  箱体の複数個の連続側辺を裁断し、型と自動的に分離することで蓋付き紙箱を成形する紙箱の裁断成形機を提供する。【解決手段】  裁断成形機は、機械本体２０と、機械本体のプレートの上に装着される型３０と、型３０の前方及び両側に位置する三つの刃物６１、刃物６２、刃物６３のガード６１１、ガード６２１、ガード６３１に装着され、かつ三セットの動作ユニット６１２、動作ユニット６２２、動作ユニット６３２の駆動により三つの刃物のガードを直線状に移動させ、型３０に接近させることで、型における表側被覆箱の三辺を裁断可能である三本の裁断用の刃物６１、刃物６２、刃物６３と、型の周辺の下端縁部に装着される型分離ユニット４０と、型分離ユニット４０の下方に位置付けされ、かつ型分離ユニット４０を型の周辺の縦方向に沿い押出すことで、裁断された表側被覆箱を型３０から持ち上げる昇降機構５０とを備える。【選択図】    図３
0003108174.tif 000002
【実用新案登録請求の範囲】
【請求項１】
機械本体と、
機械本体のプレートの上に装着される型と、
型の前方及び両側に位置する三つの刃物のガードに装着され、三セットの作動ユニットの駆動により三つの刃物のガードを直線状に移動させ、型に接近させることで、型における表側被覆箱の三辺を裁断可能である三本の裁断用の刃物と、
型の周辺の下端縁部に装着される型分離ユニットと、
型分離ユニットの下方に位置付けされ、かつ型分離ユニットを型の周辺の縦方向に沿い押出すことで、裁断された表側被覆箱を型から持ち上げる昇降機構と、
を備えることを特徴とする蓋付き紙箱の裁断成形機。
【請求項２】
三セットの作動ユニットは、シリンダーであることを特徴とする請求項１に記載の蓋付き紙箱の裁断成形機。
【請求項３】
型分離ユニットは、フレームの形を呈し、その内側は型の側面に密着しないように接近し、その角は円弧状を呈するように設けられることを特徴とする請求項１に記載の蓋付き紙箱の裁断成形機。
【請求項４】
昇降機構は、プレートスタンドを駆動するシリンダーを有し、プレートスタンドは、両側に型分離ユニットを押出すための支持ユニットを有することを特徴とする請求項１に記載の蓋付き紙箱の裁断成形機。
【請求項５】
支持ユニットは、プレートの槽孔を貫通し、型分離ユニットと連結しないような構造を呈し、かつ昇降の行程を調整可能であることを特徴とする請求項４に記載の蓋付き紙箱の裁断成形機。
【請求項６】
昇降機構の行程は、シリンダーにより制御されることを特徴とする請求項４に記載の蓋付き紙箱の裁断成形機。
【請求項７】
型の上方には、四本目の裁断用の刃物、刃物のガード及びシリンダーを有することを特徴とする請求項１に記載の蓋付き紙箱の裁断成形機。
【考案の詳細な説明】
【技術分野】
【０００１】
本考案は、紙箱の裁断成形機に関し、特に箱体の複数個の連続側辺を裁断し、型と自動的に分離することで蓋付き紙箱を成形する紙箱の裁断成形機に関する。
【背景技術】
【０００２】
図１と図２に示すように、周知の蓋付き化粧箱１０は、裏側底部箱１１と表側被覆箱１２から構成される。表側被覆箱１２は、後側の折り線１２４に沿い折るために、裏側底部箱１１に被せる前にその前方と両側を裁断し、連続の裁断線１２１、裁断線１２２、裁断線１２３を形成する必要がある。かつこの製造法により三辺の裁断線を形成するには、あらかじめ表側被覆箱１２を接着して成形しないと裁断作業ができない。
【考案の開示】
【考案が解決しようとする課題】
【０００３】
上述の表側被覆箱１２の裁断方法は、三人、三台の機械で三回に分けて裁断する方法であり、機具の増加に伴い人手を増加するとともにコストを増加するという欠点がある。
さらに三回に分けて裁断するために裁断するごとに位置が一定せず、すべての表側被覆箱は寸法が必ずしも所定の規格に一致すると限らない。したがって位置合わせが難しく、予想外のトラブルを増加する恐れがあり、生産の速度及び正確度に影響を与える。
【０００４】
もっとも致命的な要素は、三回目の裁断をする時、両側がすでに裁断され、型との分離が困難になるということで、箱体が破れて不良品になる事態が発生する。
前述の欠点に鑑み、箱体の製作上の問題点を解決することが本考案の課題である。
【０００５】
したがって本考案の主な目的は、一台の機具により少なくとも三辺を裁断し、自動的に連続加工することを可能にするだけでなく、一人の単独操作により完成する蓋付き紙箱の裁断成形機を提供することにある。
【０００６】
本考案のもう一つの目的は、箱体の三辺を裁断するほかに、第四面に部分的に裁断するかパターンを形成することで一機多用途という機能を達成することを可能にする蓋付き紙箱の裁断成形機を提供することにある。
【０００７】
本考案のまたもう一つの目的は、裁断された箱体と型を自動的に分離させることで、取り出しを容易にし、箱体の破損を避けることを可能にする蓋付き紙箱の裁断成形機を提供することにある。
【０００８】
本考案のさらにもう一つの目的は、位置合わせをして裁断する場合、最初の一回目の刃物を調整、固定してセットを完成させることで、裁断するごとに位置合わせをする必要がなくなり、手間が省け、正確度が高まる蓋付き紙箱の裁断成形機を提供することにある。
【課題を解決するための手段】
【０００９】
上述の目的を達成するために本考案の請求項に記載の蓋付き紙箱の裁断成形機は、機械本体と、機械本体のプレートの上に装着される型と、型の前方及び両側に位置する三つの刃物のガードに装着され、かつ三セットの作動ユニットの駆動により三つの刃物のガードを直線状に移動させ、型に接近させることで、型における表側被覆箱の三辺を裁断可能である三本の裁断用の刃物と、型の周辺の下端縁部に装着される型分離ユニットと、型分離ユニットの下方に位置付けされ、かつ型分離ユニットを型の周辺の縦方向に沿い押出すことで、裁断された表側被覆箱を型から持ち上げる昇降機構とを備える。
【考案を実施するための最良の形態】
【００１０】
以下、本考案の実施例を図面に基づいて説明する。
図３から図５に示すように、本考案の実施例による蓋付き紙箱の裁断成形機は、機械本体２０、型３０、三本の裁断用の刃物６１、刃物６２、刃物６３、型分離ユニット４０及び昇降機構５０から構成される。
【００１１】
型３０は、機械本体２０のプレート２１の上に装着される。型３０の寸法は表側被覆箱１２の寸法に合わせるが、実際に製作する場合、表側被覆箱１２を型３０に被せるために、表側被覆箱１２の寸法よりやや小さいである。
【００１２】
三本の裁断用の刃物６１、刃物６２、刃物６３は、型３０の前方及び両側に位置する三つの刃物のガード６１１、ガード６２１、ガード６３１に装着され、かつ三セットの動作ユニット６１２、動作ユニット６２２、動作ユニット６３２の駆動により三つの刃物のガードを直線状に移動させ、型３０に接近させることで、型における表側被覆箱１０の三辺を裁断可能である。また作動ユニットは、気圧または油圧によるシリンダーである。
【００１３】
型分離ユニット４０は、型３０の周辺の下端縁部に装着される。
昇降機構５０は、型分離ユニット４０の下方に位置付けされ、かつ型分離ユニット４０を型３０の周辺の縦方向に沿い押出すことで、裁断された後の表側被覆箱１２を型３０から持ち上げる。
【００１４】
図６に示すように、型分離ユニット４０は、フレームの形を呈し、その内側が型３０の側面に密着しないように接近し、その角が円弧状を呈するように設けられる。
【００１５】
図５に示すように、昇降機構５０は、プレートスタンド５２を駆動するシリンダー５１を有し、プレートスタンド５２は、両側に型分離ユニット４０を押出すための支持ユニット５３を有する。
【００１６】
支持ユニット５３は、プレート２１の槽孔２１１を貫通し、型分離ユニット４０と連結しないような構造を呈し、かつ昇降の行程を調整可能である。つまり、支持ユニット５３は、高さを調整することで、型分離ユニット４０を型３０側面の所定の高さまで上昇させることが可能である。また、昇降の行程はシリンダー５１のピストン棒５１１の作動により調整可能である。
【００１７】
図７に示すように、本実施例は上述の技術手段に基づき、三本の裁断用の刃物６１、刃物６２、刃物６３により型３０における表側被覆箱１２に三面を裁断することで、前側の裁断線１２１と両側の裁断線１２２、裁断線１２３を形成し、そしてあらかじめ裁断用の刃物を送出する時間を１秒から数秒おきに設定することで、型３０における相互干渉の発生を防止することが可能であるため、同一の型３０において表側被覆箱１２に三面を裁断する機能を果たすだけでなく、機具の設備及び人手が省け、位置合わせが正確になるという多重効果を有する。
【００１８】
裁断された後の表側被覆箱１２は、三つの連続面が裁断されたため、手による取り出しがしにくい。したがって本実施例は、昇降機構５０の駆動により型分離ユニット４０を押出することで、表側被覆箱１２を型３０からスムーズに持ち上げることが可能である。
【００１９】
図３に示すように、本考案の実施例は、表側被覆箱１２に三面を裁断するほかに、型３０の上方に四本目の裁断用の刃物６４、刃物のガード６４１及びシリンダー６４２を装着することで、図８に示すように、四本目の裁断用の刃物６４により表側被覆箱１２の最上面を切って字型またはパターン１２５を形成することも可能である。また、切らずパターンを形成することで表側被覆箱１２の美観を増したり、メーカーのマークを表示したりする機能を果たすことも可能である。
【図面の簡単な説明】
【００２０】
【図１】周知の蓋付き紙箱を示す立体図である。
【図２】周知の蓋付き紙箱を示す分解図である。
【図３】本考案の実施例による蓋付き紙箱の裁断成形機の機構を示す図である。
【図４】図３の４−４線に沿う断面図である。
【図５】図４の５−５線に沿う断面図である。
【図６】本考案の実施例による蓋付き紙箱の裁断成形機の型分離ユニットを示す図である。
【図７】本考案の実施例による蓋付き紙箱の裁断成形機により表側被覆箱の三面を裁断した状態を示す図である。
【図８】本考案の実施例による蓋付き紙箱の裁断成形機を応用した例を示す図である。
【符号の説明】
【００２１】
１０  蓋付き化粧箱、１１  裏側底部箱、１２  表側被覆箱、２０  機械本体、２１  プレート、３０  型、４０  型分離ユニット、４１  円弧、５０  昇降機構、５１  シリンダー、５２  プレートスタンド、５３  支持ユニット、６１  裁断用の刃物、６２  裁断用の刃物、６３  裁断用の刃物、１２１  裁断線、１２２  裁断線、１２３  裁断線、１２４  折り線、１２５  パターン、２１１  槽孔、５１１  ピストン棒、６１１  刃物のガード、６１２  作動ユニット、６２１  刃物のガード、６２２  作動ユニット、６３１  刃物のガード、６３２  作動ユニット
【図１】
0003108174.tif 000003
【図２】
0003108174.tif 000004
【図３】
0003108174.tif 000005
【図４】
0003108174.tif 000006
【図５】
0003108174.tif 000007
【図６】
0003108174.tif 000008
【図７】
0003108174.tif 000009
【図８】
0003108174.tif 000010